(57)【要約】【課題】 作業者によらずに簡単かつ安定した切断が可能であり、しかも、切断方向に作用する力を減少することで切断面の荒れを抑えて、伝送損失の低減を可能としたプラスチック光ファイバの切断方法およびプラスチック光ファイバ用カッタを提供する。【解決手段】  光ファイバ保持具2を使用してプラスチック光ファイバ4の切断位置の両側でプラスチック光ファイバ4を径方向から保持する。切り落とされる部分4bの長さが０．１〜１ｍｍとなるようにして、切り落とされた部分4bがプラスチック光ファイバ4の長さ方向に移動可能な状態でプラスチック光ファイバ4を切断する。【選択図】    図１
2014139649.tif 000002
【特許請求の範囲】
【請求項１】
光ファイバ保持具を使用してプラスチック光ファイバを径方向から保持し、切り落とされる部分の長さが０．１〜１ｍｍとなるようにして、切り落とされた部分がプラスチック光ファイバの長さ方向に移動可能な状態でプラスチック光ファイバを切断することを特徴とするプラスチック光ファイバの切断方法。
【請求項２】
１枚の刃を使用し、切り落とされる部分の長さが０．１〜１ｍｍとなるようにプラスチック光ファイバの保持位置を調整して切断することを特徴とする請求項１のプラスチック光ファイバの切断方法。
【請求項３】
２枚の刃を使用し、２枚の刃の間隔が０．１〜１ｍｍとなるようにしてプラスチック光ファイバを切断することを特徴とする請求項１のプラスチック光ファイバの切断方法。
【請求項４】
刃は、刃先の片側に傾斜面を有する片刃とされて、刃先の傾斜面がプラスチック光ファイバの端面に近い側に位置しかつ刃の中心面とプラスチック光ファイバの長さ方向とが直交するようにして切断することを特徴とする請求項２または３に記載のプラスチック光ファイバの切断方法。
【請求項５】
刃は、刃先の両側に傾斜面を有する両刃とされて、刃先のプラスチック光ファイバの端面から遠い側の傾斜面がプラスチック光ファイバの長さ方向と直交するように、刃の中心面をプラスチック光ファイバの長さ方向と直交する方向に対して傾斜させて切断することを特徴とする請求項２または３に記載のプラスチック光ファイバの切断方法。
【請求項６】
プラスチック光ファイバを径方向に移動できないように保持することを特徴とする請求項１から５までのいずれかに記載のプラスチック光ファイバの切断方法。
【請求項７】
プラスチック光ファイバを保持する光ファイバ保持具と、プラスチック光ファイバの長さ方向に対して直交する方向または傾斜する方向に移動可能な刃とを備えているプラスチック光ファイバ用カッタであって、
光ファイバ保持具は、プラスチック光ファイバの先端部が突出するようにプラスチック光ファイバが嵌め入れられる光ファイバ挿通部を有しており、プラスチック光ファイバが切断された際に切り落とされた部分が移動できるようになされていることを特徴とするプラスチック光ファイバ用カッタ。
【請求項８】
上方に開口する凹所を有するケース部と、下部がケース部内に嵌め入れられてケース部に対して移動可能な刃保持部とを備えており、ケース部の前壁に、前壁を貫通するように光ファイバ挿通部が設けられ、ケース部の凹所内に、光ファイバ挿通部にプラスチック光ファイバを挿通する際のプラスチック光ファイバの光ファイバ挿通部からの後方への突出量を規制する位置決め部が設けられていることを特徴とする請求項７のプラスチック光ファイバ用カッタ。
【請求項９】
第１の刃と第２の刃とを有しており、第１の刃がプラスチック光ファイバを第１の位置で切断した後に、第２の刃がプラスチック光ファイバの残っている部分の端部を第２の位置で切断するようになされていることを特徴とする請求項８のプラスチック光ファイバ用カッタ。
【請求項１０】
上方に開口する凹所を有するケース部と、下部がケース部内に嵌め入れられてケース部に対して移動可能な刃保持部とを備えており、刃保持部には、第１の刃を収容する第１凹所と、第２の刃を収容する第２凹所とが設けられており、第２凹所の上部は、刃保持部の表面に対し、第２の刃の厚さに対応する分凹まされており、第２凹所の下部は、上部よりも深く凹まされており、第２凹所の下部下面に連なって、刃保持部の表面に対し０．１〜１ｍｍ凹まされた第１凹所基準面が形成されており、第１凹所の上部は、第１凹所基準面に対し、第１の刃の厚さに対応する分凹まされており、第１凹所の下部は、上部よりも深く凹まされていることを特徴とする請求項９のプラスチック光ファイバ用カッタ。
【請求項１１】
ケース部に対して刃保持部を移動させる送りねじ機構を備えていることを特徴とする請求項８から１０までのいずれかに記載のプラスチック光ファイバ用カッタ。
【請求項１２】
ケース部に対して刃保持部を送りねじ機構の送り方向と逆向きに付勢する付勢部材を備えていることを特徴とする請求項１１に記載のプラスチック光ファイバ用カッタ。
【請求項１３】
ケース部に対して刃保持部を切断時の送り方向と逆向きに付勢する付勢部材を備えていることを特徴とする請求項８から１０までのいずれかに記載のプラスチック光ファイバ用カッタ。
【請求項１４】
刃は両刃であり、プラスチック光ファイバが嵌め入れられる光ファイバ挿通部の軸方向は、刃の中心面と直交する方向に対して傾斜させられていることを特徴とする請求項７から１３までのいずれかに記載のプラスチック光ファイバ用カッタ。
【請求項１５】
プラスチック光ファイバの外周面と光ファイバ挿通部の内周面とのクリアランスがゼロとされていることを特徴とする請求項７から１４までのいずれかに記載のプラスチック光ファイバ用カッタ。
【発明の詳細な説明】
【技術分野】
【０００１】
この発明は、プラスチック光ファイバ（ＰＯＦ）を切断するための方法およびプラスチック光ファイバ用カッタに関し、特に、プラスチック光ファイバの配線を行う作業現場において、追加の設備を使用せずに、簡単にプラスチック光ファイバを切断することができるプラスチック光ファイバの切断方法およびプラスチック光ファイバ用カッタに関する。
【背景技術】
【０００２】
プラスチック光ファイバ端部を切断するプラスチック光ファイバ用カッタとして、種々のものが知られているが、大別すると、ケース部に設けられた軸部に刃保持具が回転可能に取り付けられた回転タイプ（例えば特許文献１）と、ケース部に対して刃保持具がスライド可能に取り付けられたスライドタイプ（例えば特許文献２）とに分けられる。
【０００３】
そして、例えば、図３０に示すように、光ファイバ保持具(61)を使用してプラスチック光ファイバ(63)の切断位置の両側でプラスチック光ファイバ(63)を径方向から保持しておいて、プラスチック光ファイバ(63)の長さ方向に対して直交する方向に刃(62)を移動させて、プラスチック光ファイバ(63)を切断している。
【先行技術文献】
【特許文献】
【０００４】
【特許文献１】特開平１０−３０７２１３号公報
【特許文献２】特開２００２−７１９６７号公報
【発明の概要】
【発明が解決しようとする課題】
【０００５】
プラスチック光ファイバについては、種々のものが実用化されているが、その切断面がきれいな面となることが伝送損失を損なわないために重要である。ＳＩ−ＰＯＦと称されているプラスチック光ファイバでは、コア径が１．０ｍｍ程度であり、切断面が荒れていても、伝送損失への影響が小さいが、ＧＩ−ＰＯＦと称されているプラスチック光ファイバでは、コア径が５０〜３００μｍ程度であり、伝送損失への影響を受けやすい。切断面の荒れは、コア層、クラッド層、被覆層の材質によっても、大きなバラツキがあり、また、作業者によってもバラツキが出る。例えばコア層が硬くて径が小さいプラスチック光ファイバは、切断面の荒れが生じやすいが、このような不利な形状のプラスチック光ファイバに対し、図３０に示した切断方法では、切断面の荒れを抑えることが難しかった。
【０００６】
切断面の荒れの原因として、図３０において、プラスチック光ファイバ(63)が長さ方向に移動できない状態で刃(62)が押し当てられることで、切断面に圧壊（コアの砕け）が生じやすいためと考えられる。
【０００７】
この発明の目的は、作業者によらずに簡単かつ安定した切断が可能であり、しかも、切断面の荒れを抑えて、伝送損失の低減を可能としたプラスチック光ファイバの切断方法およびプラスチック光ファイバ用カッタを提供することにある。
【課題を解決するための手段】
【０００８】
この発明によるプラスチック光ファイバの切断方法は、光ファイバ保持具を使用してプラスチック光ファイバを径方向から保持し、切り落とされる部分の長さが０．１〜１ｍｍとなるようにして、切り落とされた部分がプラスチック光ファイバの長さ方向に移動可能な状態でプラスチック光ファイバを切断することを特徴とするものである。
【０００９】
従来のプラスチック光ファイバの切断において、プラスチック光ファイバの切り落とされる部分の長さについては、特に考慮されることはなく、数ｍｍ〜数ｃｍ程度切り落とされている。すなわち、切り落とされた部分が長さ方向に移動できない状態で刃が押し当てられている。これに対し、この発明のプラスチック光ファイバの切断方法では、プラスチック光ファイバの切り落とされる部分の長さが０．１〜１ｍｍ（より好ましくは、０．３〜０．７ｍｍ）となるようにして、切り落とされた部分がプラスチック光ファイバの長さ方向に移動可能な状態でプラスチック光ファイバを切断する。これにより、プラスチック光ファイバの切断方向への力が低減されて、圧壊が生じにくくなり、平滑な切断断面が得られる。
【００１０】
上記の切断を行うに際し、１枚の刃を使用し、切り落とされる部分の長さが０．１〜１ｍｍとなるようにプラスチック光ファイバの保持位置を調整して切断するようにしてもよく、２枚の刃を使用し、２枚の刃の間隔が０．１〜１ｍｍとなるようにしてプラスチック光ファイバを切断するようにしてもよい。
【００１１】
刃は、刃先の片側に傾斜面を有する片刃とされて、刃先の傾斜面がプラスチック光ファイバの端面に近い側に位置しかつ刃の中心面（刃先の傾斜面を２分割するように刃全体を２分割する面）とプラスチック光ファイバの長さ方向とが直交するようにして切断することがある。また、刃は、刃先の両側に傾斜面を有する両刃とされて、刃先のプラスチック光ファイバの端面から遠い側の傾斜面がプラスチック光ファイバの長さ方向と直交するように、刃の中心面（刃先を対称に分割するように刃全体を２分割する面）をプラスチック光ファイバの長さ方向と直交する方向に対して傾斜させて切断することがある。
【００１２】
プラスチック光ファイバを切断する際には、プラスチック光ファイバを径方向に移動できないように保持することが好ましい。径方向への移動可能量が大きいと、切断時の変形が大きくなることによる切断断面の荒れが生じやすくなる。プラスチック光ファイバを径方向に移動できないように保持することで、切断時の変形が抑えられて、切断断面の荒れも抑えられる。
【００１３】
上記の切断方法は、コア素材が硬質である場合に有効である。例えば、耐熱性を有するプラスチック光ファイバは、コア素材にガラス転移温度（Tg)が高い素材が使用されることがあり、そうした素材に対して特に有効である。
【００１４】
この発明によるプラスチック光ファイバ用カッタは、プラスチック光ファイバを保持する光ファイバ保持具と、プラスチック光ファイバの長さ方向に対して直交する方向または傾斜する方向に移動可能な刃とを備えているプラスチック光ファイバ用カッタであって、光ファイバ保持具は、プラスチック光ファイバの先端部が突出するようにプラスチック光ファイバが嵌め入れられる光ファイバ挿通部を有しており、プラスチック光ファイバが切断された際に切り落とされた部分が移動できるようになされていることを特徴とするものである。
【００１５】
この発明によるプラスチック光ファイバ用カッタによると、切断された際に切り落とされた部分が移動できるようになされていることにより、プラスチック光ファイバの切断方向への力が低減されて、圧壊が生じにくくなる。したがって、このカッタを使用することで、平滑な切断断面を有するプラスチック光ファイバを得ることができる。
【００１６】
プラスチック光ファイバの切り落とされる部分の長さは、０．１〜１ｍｍとなることが好ましく、これが可能となるように、光ファイバ挿通部に嵌め入れられるプラスチック光ファイバの先端部の長さが調整される。
【００１７】
プラスチック光ファイバ用カッタは、上方に開口する凹所を有するケース部と、下部がケース部内に嵌め入れられてケース部に対して移動可能な刃保持部とを備えており、ケース部の前壁に、前壁を貫通するように光ファイバ挿通部が設けられ、ケース部の凹所内に、光ファイバ挿通部にプラスチック光ファイバを挿通する際のプラスチック光ファイバの光ファイバ挿通部からの後方への突出量を規制する位置決め部が設けられていることがある。
【００１８】
このプラスチック光ファイバ用カッタによると、位置決め部によって、プラスチック光ファイバの光ファイバ挿通部からの突出量、すなわち、切り落とし量が規制されるので、切り落とされる部分の長さが例えば１ｍｍ以下の薄切りを確実に実施することができる。
【００１９】
また、第１の刃と第２の刃とを有しており、第１の刃がプラスチック光ファイバを第１の位置で切断した後に、第２の刃がプラスチック光ファイバの残っている部分の端部を第２の位置で切断するようになされていることがある。
【００２０】
第１の刃と第２の刃との間隔は、０．１〜１ｍｍ（より好ましくは、０．３〜０．７ｍｍ）とされる。
【００２１】
このようにすることで、光ファイバ挿通部に嵌め入れられるプラスチック光ファイバの先端部の長さを調整しなくても、第２の刃による切断時には、プラスチック光ファイバの切り落とされる部分の長さが１ｍｍ以下（薄切り）となり、切り落とされた部分がプラスチック光ファイバの長さ方向に移動できるようになり、平滑な切断断面を確実に得ることができる。
【００２２】
プラスチック光ファイバ用カッタは、上方に開口する凹所を有するケース部と、下部がケース部内に嵌め入れられてケース部に対して移動可能な刃保持部とを備えており、刃保持部には、第１の刃を収容する第１凹所と、第２の刃を収容する第２凹所とが設けられており、第２凹所の上部は、刃保持部の表面に対し、第２の刃の厚さに対応する分凹まされており、第２凹所の下部は、上部よりも深く凹まされており、第２凹所の下部下面に連なって、刃保持部の表面に対し０．１〜１ｍｍ凹まされた第１凹所基準面が形成されており、第１凹所の上部は、第１凹所基準面に対し、第１の刃の厚さに対応する分凹まされており、第１凹所の下部は、上部よりも深く凹まされていることがある。
【００２３】
このプラスチック光ファイバ用カッタによると、カッタの構成が簡単なものとなり、しかも、薄切りの切断を簡単にかつ精度よく実施することができる。
【００２４】
プラスチック光ファイバ用カッタは、ケース部に対して刃保持部を移動させる送りねじ機構を備えていることがある。
【００２５】
このようにすると、より一層平滑な切断断面が得られるとともに、バラツキを小さくすることができる。プラスチック光ファイバの切断に際して、ゆっくりした速度で切断する方が切断断面の状態がよい。作業者の手で刃保持部を移動させた場合、切断速度が速いことによって、切断断面に荒れが生じやすく、また、作業者の熟練度によってバラツキが生じやすいが、送りねじ機構を使用することで、刃の移動を遅くすることができ、送りねじ機構を使用しない場合に比べて、よりきれいな切断断面を得ることができる。送りねじ機構におけるねじのピッチは、特に限定されるものではなく、例えば、市販されているＭ６などのねじを利用することで、必要な性能を得ることができる。
【００２６】
送りねじ機構を備えている場合に、ケース部に対して刃保持部を送りねじ機構の送り方向と逆向きに付勢する付勢部材を備えていることがある。
【００２７】
このようにすると、切断後には、付勢部材の付勢作用によって、刃保持部が切断前位置に正しく復帰するので、次の切断を容易にかつ確実に行うことができる。
【００２８】
送りねじ機構に代えて、ケース部に対して刃保持部を切断時の送り方向と逆向きに付勢する付勢部材を備えていることがある。
【００２９】
このようにすると、切断時には、付勢部材の付勢作用によって、刃保持部の移動が抑制されて、ゆっくりした切断になり、また、手で刃保持部を押す力が逆向きの付勢力によって弱められることで、切断時にプラスチック光ファイバに作用する力が小さくなり、送りねじ機構を備えているものと同程度に平滑な切断断面が得られる。
【００３０】
刃は両刃であり、プラスチック光ファイバが嵌め入れられる光ファイバ挿通部の軸方向は、刃の中心面と直交する方向に対して傾斜させられていることがある。
【００３１】
刃は片刃および両刃のいずれであってもよく、刃を片刃として、傾斜面が切断時におけるプラスチック光ファイバの端面に近い側に位置させられるようにすることで、切断面に対してプラスチック光ファイバの長さ方向の力が作用することがないものとなる。両刃の場合、光ファイバ挿通部の軸方向と刃の中心面とが直交するようにして切断すると、傾斜面から切断面に対してプラスチック光ファイバの長さ方向の力が作用する。両刃であっても、プラスチック光ファイバが嵌め入れられる光ファイバ挿通部の軸方向が刃の中心面と直交する方向に対して傾斜させられているようにすることで、切断面に対してプラスチック光ファイバの長さ方向の力が作用することがないものとできる。
【００３２】
プラスチック光ファイバの外周面と光ファイバ挿通部の内周面とのクリアランスがゼロとされていることが好ましい。このようにすると、プラスチック光ファイバを径方向に移動できないように保持することができ、切断時の変形が抑えられて、切断断面の荒れも抑えられる。
【発明の効果】
【００３３】
この発明によると、切り落とされた部分がプラスチック光ファイバの長さ方向に移動可能な状態でプラスチック光ファイバを切断することにより、プラスチック光ファイバの切断方向への力が低減されて、圧壊が生じにくくなり、平滑な切断断面が得られる。したがって、作業者やプラスチック光ファイバの材質によることなく、荒れのないプラスチック光ファイバ端面が得られ、これにより、プラスチック光ファイバの伝送損失の低減が可能となる。
【図面の簡単な説明】
【００３４】
【図１】図１は、この発明によるプラスチック光ファイバ用カッタの第１実施形態を示す縦断面図である。
【図２】図２は、この発明によるプラスチック光ファイバ用カッタの第２実施形態を示す縦断面図である。
【図３】図３は、この発明によるプラスチック光ファイバ用カッタの第３実施形態のケース部の前側の半部が取り外された状態を示す斜視図である。
【図４】図４は、第３実施形態のケース部の前側の半部が取り付けられた状態を示す斜視図である。
【図５】図５は、図４のV-V線に沿う断面図である。
【図６】図６は、この発明によるプラスチック光ファイバ用カッタの刃の他の例を示す図である。
【図７】図７は、この発明によるプラスチック光ファイバ用カッタの第４実施形態を示す縦断面図である。
【図８】図８は、この発明によるプラスチック光ファイバ用カッタの第５実施形態のケース部の前側の半部が取り外された状態を示す斜視図である。
【図９】図９は、第５実施形態のケース部の前側の半部が取り付けられた状態を示す斜視図である。
【図１０】図１０は、図９のX-X線に沿う断面図である。
【図１１】図１１は、図１０の状態から、刃を移動させてプラスチック光ファイバを切断した状態を示す断面図である。
【図１２】図１２は、この発明によるプラスチック光ファイバ用カッタの第６実施形態のケース部の前側の半部が取り外された状態を示す斜視図である。
【図１３】図１３は、第６実施形態のケース部の前側の半部が取り付けられた状態を示す斜視図である。
【図１４】図１４は、図１０のXIV-XIV線に沿う断面図である。
【図１５】図１５は、この発明によるプラスチック光ファイバ用カッタの第７実施形態のケース部の前側の半部が取り付けられた状態を示す斜視図であり、切断前の状態を示している。
【図１６】図１６は、第７実施形態のケース部の前側の半部が取り付けられた状態を示す斜視図であり、切断後の状態を示している。
【図１７】図１７は、第７実施形態のケース部の前側の半部が取り外された状態を示す斜視図であり、切断前の状態を示している。
【図１８】図１８は、第７実施形態のケース部の前側の半部が取り外された状態を示す斜視図であり、切断後の状態を示している。
【図１９】図１９は、第７実施形態のケース部の後側の半部を示す正面図である。
【図２０】図２０は、第７実施形態の刃保持部を示す正面図である。
【図２１】図２１は、第７実施形態のケース部の前側の半部を示す背面図である。
【図２２】図２２は、第７実施形態のケース部の前側の半部の変形例を示す背面図である。
【図２３】図２３は、この発明によるプラスチック光ファイバ用カッタの第８実施形態のケース部の前側の半部が取り付けられた状態を示す斜視図であり、切断前の状態を示している。
【図２４】図２４は、第８実施形態のケース部の前側の半部が取り付けられた状態を示す斜視図であり、切断後の状態を示している。
【図２５】図２５は、この発明によるプラスチック光ファイバ用カッタの第９実施形態のケース部の前側の半部が取り付けられた状態を示す斜視図であり、切断前の状態を示している。
【図２６】図２６は、第９実施形態のケース部の前側の半部が取り付けられた状態を示す斜視図であり、切断後の状態を示している。
【図２７】図２７は、第９実施形態のケース部の前側の半部が取り外された状態を示す斜視図であり、切断前の状態を示している。
【図２８】図２８は、この発明によるプラスチック光ファイバ用カッタを使用して得られるプラスチック光ファイバの切断面を模式的に示す図である。
【図２９】図２９は、従来のプラスチック光ファイバ用カッタを使用して得られるプラスチック光ファイバの切断面を模式的に示す図である。
【図３０】図３０は、従来のプラスチック光ファイバ用カッタを示す縦断面図である。
【発明を実施するための形態】
【００３５】
この発明の実施の形態を、以下図面を参照して説明する。以下の説明において、図１の上下を上下といい、図１の左を前、同右を後というものとする。
【００３６】
図１に、この発明によるプラスチック光ファイバ用カッタ(1)の第１実施形態を示す。
【００３７】
この実施形態のプラスチック光ファイバ用カッタ(1)は、プラスチック光ファイバ(4)を保持する光ファイバ保持具(2)と、プラスチック光ファイバ(4)の長さ方向に対して直交する方向に移動可能な刃(3)とを備えている
光ファイバ保持具(2)は、第１光ファイバ挿通部(11)と、刃(3)を挿入可能な隙間(13)をおいて第１光ファイバ挿通部(11)と長さ方向に対向する第２光ファイバ挿通部(12)とを有している。
【００３８】
各光ファイバ挿通部(11)(12)は、外周面が断面方形で、内周面が断面円形とされている。プラスチック光ファイバ(4)は、断面が円形で、先端部(4a)が突出するように第１光ファイバ挿通部(11)に嵌め入れられて、先端部(4a)の先が第２光ファイバ挿通部(12)に嵌め入れられる。
【００３９】
第１光ファイバ挿通部(11)と第２光ファイバ挿通部(12)とは、別体であってもよく、刃(3)が挿入される隙間(13)を避けて設けられた連結部（図示略）を介して一体に形成されていてもよい。
【００４０】
このプラスチック光ファイバ用カッタ(1)を使用してプラスチック光ファイバ(4)を切断する際には、図１（ａ）に示す状態で、第１光ファイバ挿通部(11)から突出しているプラスチック光ファイバ(4)の先端部(4a)の長さが調整されて、図１（ｂ）に示す状態において切り落とされる部分(4b)がわずかだけとされる。具体的には、プラスチック光ファイバ(4)の切り落とされる部分(4b)の長さは、０．５ｍｍ程度とされる。このようにすることで、切り落とされた部分(4b)がプラスチック光ファイバ(4)の長さ方向に移動可能な状態でプラスチック光ファイバ(4)が切断される。
【００４１】
図３０に示した従来のプラスチック光ファイバ用カッタでは、切断面を顕微鏡で観察すると、図２９（ａ）（ｂ）に示すように、コア層(F1)に内部方向への亀裂(C)が生じたり、表面に雲母状の割れ(D)が生じたりするという問題があった。これに対し、上記実施形態のプラスチック光ファイバ用カッタ(1)による切断では、切断面を顕微鏡で観察すると、図２８（ａ）（ｂ）に示すように、亀裂や割れがないきれいな切断面となる。なお、図２８（ａ）（ｂ）および図２９（ａ）（ｂ）において、(F)はプラスチック光ファイバを、(F1)はコア層を、(F2)はクラッド層を、(F3)は１次被覆層を、(F4)は２次被覆層をそれぞれ示している。
【００４２】
すなわち、図３０に示した切断方法では、プラスチック光ファイバ(63)が長さ方向に移動できない状態で刃(62)が押し当てられることで、切断面に圧壊（コアの砕け）が生じやすいものとなっており、上記第１実施形態によると、切り落とされる部分(4b)の長さを１ｍｍ以下とすることで、従来の問題が解決されている。ここで、切り落とされる部分(4b)の長さは、小さすぎると、切断が困難となり、また、大きすぎると、荒れが生じやすくなるので、好ましくは、０．１〜１ｍｍ、より好ましくは、０．３〜０．７ｍｍとされる。
【００４３】
図１においては、両刃の刃(3)が示されているが、図６に示すような刃先の一側に傾斜面を有する片刃の刃(30)としてもよい。片刃の刃(30)を使用する場合、傾斜面(30a)が前側（切断時におけるプラスチック光ファイバ(4)の端面に近い側）に位置させられる。このようにすることで、切断面に対してプラスチック光ファイバ(4)の長さ方向の力が作用することがないものとなり、よりきれいな切断面となる。
【００４４】
刃(3)として、両刃を使用した場合、切断面には、刃(3)の刃先の傾斜面によって、プラスチック光ファイバ(4)の長さ方向の力が作用する。図１では、刃(3)が厚く示されているが、実際に使用される刃(3)の厚みを薄く（例えば０．３ｍｍ以下）することで、刃(3)の刃先の傾斜面による影響を小さいものとできる。
【００４５】
図２に示す第２実施形態のように、刃先の後側（切断時におけるプラスチック光ファイバ(4)の端面から遠い側）および前側（切断時におけるプラスチック光ファイバ(4)の端面に近い側）に傾斜面(3a)(3b)を有する両刃の刃(3)を使用する場合、図１に示す光ファイバ挿通部(11)の軸方向と刃(3)の中心面（刃先を対称に分割するように刃全体を２分割する面）との関係（光ファイバ挿通部(11)の軸方向と刃(3)の中心面とが直交している）に代えて、光ファイバ挿通部(14)の軸方向と刃(3)の中心面とがちょうど直交する配置から刃(3)の後側の傾斜面(3a)の角度に相当する分だけ傾斜するようになされてもよい。
【００４６】
図２（ａ）において、刃(3)が図１の場合と同様の配置とされているのに対し、刃(3)の中心面と光ファイバ挿通部(14)の軸方向（プラスチック光ファイバ(4)の長さ方向）とが、図１のように直交するのではなく、直交配置から傾斜させられており、光ファイバ挿通部(14)の軸方向と刃(3)の後側の傾斜面(3a)とが直交している。この場合、プラスチック光ファイバ(4)の光ファイバ挿通部(14)で保持されている部分は、光ファイバ挿通部(14)に保持されていない先端部分に比べて動きにくいため、プラスチック光ファイバ(4)から刃(3)に作用する力が、後側の傾斜面(3a)と前側の傾斜面(3b)とでは、前側の傾斜面(3b)において相対的に小さく（ほぼゼロに）なっている。したがって、刃(3)の先は、破線で示されているプラスチック光ファイバ(4)の長さ方向と直交する方向に移動する。
【００４７】
図２（ｂ）において、光ファイバ挿通部(15)は、刃(3)の移動方向と直交しており、刃(3)は、後側の傾斜面(3a)が刃(3)の移動方向（光ファイバ挿通部(15)の軸方向と直交する方向）に一致した状態で（刃(3)が図１に比べて傾斜した状態で）、移動させられている。したがって、図２（ａ）と同様に、刃(3)の先は、破線で示されているプラスチック光ファイバ(4)の長さ方向と直交する方向に移動する。
【００４８】
図２（ａ）（ｂ）に示す第２実施形態の切断方法によると、両刃の刃(3)を使用しても、片刃の刃(30)を使用する場合と同様に、切断面にプラスチック光ファイバ(4)の長さ方向の力が作用しないようにして切断することができる。
【００４９】
図３から図５までに、図２（ａ）に示す切断方法を実施するのに好適なカッタの実施形態（第３実施形態）を示す。
【００５０】
第３実施形態のプラスチック光ファイバ用カッタ(5)は、上方に開口する凹所(6a)を有する直方体状の合成樹脂製ケース部(6)と、下部がケース部(6)内に嵌め入れられてケース部(6)に対して上下移動可能な刃保持部(7)とを備えている。刃(3)は、刃保持部(7)と一体でケース部(6)内を上下移動するように刃保持部(7)に取り付けられている。
【００５１】
ケース部(6)は、光ファイバ保持具を構成しており、ケース部(6)の前壁(6b)には、これを前後に貫通する光ファイバ挿通孔（光ファイバ挿通部）(8)が設けられている。
【００５２】
刃保持部(7)には、光ファイバ挿通孔(8)に挿通されたプラスチック光ファイバ(4)の光ファイバ挿通孔(8)からの後方への突出量を規制する位置決め部(9)が設けられている。位置決め部(9)は、刃保持部(7)と一体で上下移動するようになされている。
【００５３】
この実施形態では、ケース部(6)および刃保持部(7)は、従来と同じ構成とされており、刃(3)の中心面は、従来と同じように、刃保持部(7)の移動方向である上下方向に一致している。これに対し、光ファイバ挿通孔(8)の軸方向は、従来、前後方向（刃保持部(7)の移動方向と直交する方向）であったのに対し、前後方向に対して傾斜した方向とされている。この実施形態では、また、従来なかった位置決め部(9)が設けられている。
【００５４】
図５においては、刃保持部(7)は、ケース部(6)に対して上方に移動させられた状態となっており、この状態が刃保持部(7)の切断前位置となっている。刃保持部(7)が切断前位置にあるときには、刃先は、光ファイバ挿通孔(8)よりも上方にあり、刃保持部(7)が切断位置に移動させられることにより、光ファイバ挿通孔(8)内に挿通されたプラスチック光ファイバ(4)が切断されるようになされている。光ファイバ挿通孔(8)にプラスチック光ファイバ(4)を挿通する際には、位置決め部(9)によって、プラスチック光ファイバ(4)の光ファイバ挿通孔(8)からの後方への突出量、すなわち、切り落とし量が規制され、切り落とされる部分の長さが１ｍｍ以下の薄切りが実現される。プラスチック光ファイバ(4)の切り落とされた部分は、落下して凹所(6a)の下部に溜められる。
【００５５】
こうして、第３実施形態のカッタ(5)を使用することで、図２（ａ）に示す切断が実施できる。
【００５６】
図７に、この発明によるプラスチック光ファイバ用カッタ(21)の第４実施形態を示す。
【００５７】
第４実施形態のプラスチック光ファイバ用カッタ(21)は、プラスチック光ファイバ(4)を保持する光ファイバ保持具(22)と、プラスチック光ファイバ(4)の長さ方向に対して直交する方向に移動可能な２枚の刃(23)(24)とを備えている。
【００５８】
光ファイバ保持具(22)は、第１光ファイバ挿通部(31)と、２枚の刃(23)(24)を挿入可能な隙間(33)をおいて第１光ファイバ挿通部(31)と長さ方向に対向する第２光ファイバ挿通部(32)とを有している。
【００５９】
各光ファイバ挿通部(31)(32)は、外周面が断面方形で、内周面が断面円形とされている。プラスチック光ファイバ(4)は、断面が円形で、先端部(4a)が突出するように第１光ファイバ挿通部(31)に嵌め入れられて、先端部の先が第２光ファイバ挿通部(32)に嵌め入れられる。
【００６０】
第１光ファイバ挿通部(31)と第２光ファイバ挿通部(32)とは、別体であってもよく、２枚の刃(23)(24)が挿入される隙間(33)を避けて設けられた連結部（図示略）を介して一体に形成されていてもよい。
【００６１】
２枚の刃(23)(24)は、プラスチック光ファイバ(4)の長さ方向に０．５ｍｍ程度の間隔をおいて配置されている。２枚の刃(23)(24)の刃先(23a)(24a)の位置については、プラスチック光ファイバ(4)の長さ方向の先端側に位置する第１の刃(23)の刃先(23a)の方が、第２の刃(24)の刃先(24a)よりも下側に配置されている。また、２枚の刃(23)(24)は、一体的に移動するようになされている。
【００６２】
したがって、図７（ａ）の位置から２枚の刃(23)(24)を下降させると、図７（ｂ）に示すように、第１の刃(23)がプラスチック光ファイバ(4)を先端側（第１の位置）で切断した後に、第２の刃(24)がプラスチック光ファイバ(4)の残っている部分の端部を第２の位置で切断するようになされている。
【００６３】
すなわち、第４実施形態によると、第１光ファイバ挿通部(31)から突出しているプラスチック光ファイバ(4)の先端部(4a)の長さを調整することなく、切り落とされる部分(4b)の長さを１ｍｍ以下とすることができる。これにより、図２８（ａ）（ｂ）に示すように、亀裂や割れがないきれいな切断面となり、従来の問題が解決されている。
【００６４】
第１の刃(23)の刃先(23a)と第２の刃(24)の刃先(24a)との距離は、０．１〜１ｍｍ（より好ましくは、０．３〜０．７ｍｍ）とされる。
【００６５】
図８から図１１までに、図７に示す切断方法を実施するのに好適なカッタの実施形態（第５実施形態）を示す。
【００６６】
第５実施形態のプラスチック光ファイバ用カッタ(25)は、上方に開口する凹所(26a)を有する直方体状の合成樹脂製ケース部(26)と、下部がケース部(26)内に嵌め入れられてケース部(26)に対して上下移動可能な刃保持部(27)とを備えている。刃(23)(24)は、刃保持部(27)と一体でケース部(26)内を上下移動するように刃保持部(27)に取り付けられている。
【００６７】
第１の刃(23)および第２の刃(24)は、いずれも、ひげそり用などに使用されているもので、左右方向が長く上下方向の高さが左右方向の長さの１／５程度で、厚さが０．２ｍｍ程度の長方形板状とされている。
【００６８】
ケース部(26)は、前側の半部(28)と後側の半部(29)とからなる。後側の半部(29)の前面の左右縁部および下縁部は、後側の半部(29)の前面の他の部分より突出させられており、前側の半部(28)の後面の左右縁部および下縁部は、前側の半部(28)の後面の他の部分より突出させられている。図８に示すように、後側の半部(29)の前面の左右縁部および下縁部に、それぞれ２つずつの凸部(30)が設けられており、前側の半部(28)には、これらの凸部(30)に嵌め合わされる凹部（図示略）が設けられている。複数の凸部(30)と凹部との嵌め合わせによって、前側の半部(28)と後側の半部(29)とが着脱可能に結合され、後側の半部(29)の前面の左右縁部および下縁部と前側の半部(28)の後面の左右縁部および下縁部とが突き合わされることにより、前側の半部(28)と後側の半部(29)との間に、上方に開口する凹所(26a)が形成されている。
【００６９】
ケース部(26)は、光ファイバ保持具を構成しており、ケース部(26)の前側の半部(28)には、これを前後に貫通する光ファイバ挿通孔（図７の第１光ファイバ挿通部(31)に相当）(34)が設けられている。
【００７０】
刃保持部(27)は、方形状とされており、下部には、各刃(23)(24)の左右端部がそれぞれ差し込み可能な左右１対の差し込み部(36)が設けられている。刃保持部(27)の上端部には、刃保持部(27)が下方に移動させられた際にケース部(26)の上面に当接する左右に長い略四角柱状のストッパ部(37)が設けられている。ストッパ部(37)の前後面および左右面は、ケース部(26)の前後面および左右面と面一に形成されている。
【００７１】
図１０に示すように、刃保持部(27)の前面（表面）(27a)には、第１の刃(23)を収容する第１凹所(38)と、第２の刃(24)を収容する第２凹所(39)とが設けられている。
【００７２】
第２凹所(39)の上部(39a)は、刃保持部(27)の前面(27a)に対し、第２の刃(24)の厚さに対応する分（第２の刃(24)の厚さ＋０．１ｍｍ程度）凹まされている。第２凹所(39)の下部(39b)は、上部(39a)よりも深く（第２の刃(24)によって切断されたプラスチック光ファイバ(4)の部分が収容できる程度の深さに）凹まされている。第２凹所(39)の下部(39b)下面に連なって、第１凹所(38)の基準面となる第１凹所基準面(38c)が形成されている。第１凹所(38)の上部(38a)は、第１凹所基準面(38c)に対し、第１の刃(23)の厚さに対応する分（第１の刃(23)の厚さ＋０．１ｍｍ程度）凹まされている。第１凹所(38)の下部(38b)は、上部(38a)よりも深く（第１の刃(23)によって切断されたプラスチック光ファイバ(4)の部分が収容できる程度の深さに）凹まされている。
【００７３】
第１凹所(38)の上部(38a)の底面の第２凹所(39)の上部(39a)の底面からの凹み量（刃保持部(27)の前面(27a)と第１凹所基準面(38c)との距離に同じ）は、第１の刃(23)と第２の刃(24)との間隔が０．１〜１ｍｍとなるように、０．６ｍｍとされている。
【００７４】
第１凹所(38)の上面と第２凹所(39)の下面との間に、第１凹所基準面(38c)があることにより、２枚の刃(23)(24)は、第１（下側）の刃(23)の上面と第２（上側）の刃(24)の下面（刃先(24a)の先端）との間に所定の間隔が存するように上下に間隔をおいて配置されている。
【００７５】
図１０においては、刃保持部(27)は、ケース部(26)に対して上方に移動させられた状態となっており、この状態が刃保持部(27)の切断前位置となっている。刃保持部(27)が切断前位置にあるときには、第１の刃(23)の刃先(23a)は、光ファイバ挿通孔(34)よりも上方にあり、刃保持部(27)が下側（切断終了位置）に移動させられることにより、光ファイバ挿通孔(34)内に挿通されたプラスチック光ファイバ(4)が切断される。
【００７６】
図１１には、切断後の状態、すなわち、刃保持部(27)がケース部(26)に対して下方に移動させられた状態を示している。この状態では、第２の刃(24)の刃先(24a)は、光ファイバ挿通孔(34)よりも下方にあり、光ファイバ挿通孔(34)内に挿通されたプラスチック光ファイバ(4)が切断されている。プラスチック光ファイバ用カッタ(25)が下側の第１の刃(23)と上側の第２の刃(24)とを有していることにより、刃保持部(27)がケース部(26)に対して下方に移動させられる際には、まず、第１の刃(23)による切断が行われ、次いで、第２の刃(24)による切断が行われる。切断前において、光ファイバ挿通孔(34)から突出しているプラスチック光ファイバ(4)の部分は、特に規定されることなく、数ｍｍ程度であり、第１の刃(23)によって、光ファイバ挿通孔(34)から突出しているプラスチック光ファイバ(4)の部分のほとんどが切り落とされる。第１の刃(23)によって切り落とされたプラスチック光ファイバ(4)の部分(4c)は、第１凹所(38)の下部(38b)に落ち込むことになる。第１の刃(23)による切断によって、光ファイバ挿通孔(34)から突出しているプラスチック光ファイバ(4)の部分は、第１凹所(38)の上部(38a)の底面の第２凹所(39)の上部(39a)の底面からの凹み量に規定された分だけとなり、第２の刃(24)による切断は、この分だけの薄切りとなる。第２の刃(24)によって切り落とされたプラスチック光ファイバ(4)の部分(4d)は、第２凹所(39)の下部(39b)に落ち込むことになる。
【００７７】
こうして、第５実施形態のプラスチック光ファイバ用カッタ(25)によると、図７に模式的に示した原理に基づいた切断を簡単にかつ精度よく実施することができる。
【００７８】
図１２から図１４までに、図７に示す切断方法を実施するのに好適なカッタの別の実施形態（第６実施形態）を示す。この実施形態のものは、図８から図１１までの第５実施形態のものと、刃保持部(47)における刃(23)(24)の配置状態が相違している。
【００７９】
第６実施形態のプラスチック光ファイバ用カッタ(45)は、上方に開口する凹所(46a)を有する直方体状の合成樹脂製ケース部(46)と、下部がケース部(46)内に嵌め入れられてケース部(46)に対して上下移動可能な刃保持部(47)とを備えている。刃(23)(24)は、刃保持部(47)と一体でケース部(46)内を上下移動するように刃保持部(47)に取り付けられている。
【００８０】
第１の刃(23)および第２の刃(24)は、いずれも、ひげそり用などに使用されているもので、左右方向が長く上下方向の高さが左右方向の長さの１／５程度で、厚さが０．２ｍｍ程度の長方形板状とされている。
【００８１】
ケース部(46)は、前側の半部(48)と後側の半部(49)とからなる。後側の半部(49)の前面の左右縁部および下縁部は、後側の半部(49)の前面の他の部分より突出させられており、前側の半部(48)の後面の左右縁部および下縁部は、前側の半部(48)の後面の他の部分より突出させられている。図１２に示すように、後側の半部(49)の前面の左右縁部および下縁部に、それぞれ２つずつの凸部(50)が設けられており、前側の半部(48)には、これらの凸部(50)に嵌め合わされる凹部（図示略）が設けられている。複数の凸部(50)と凹部との嵌め合わせによって、前側の半部(48)と後側の半部(49)とが着脱可能に結合され、後側の半部(49)の前面の左右縁部および下縁部と前側の半部(48)の後面の左右縁部および下縁部とが突き合わされることにより、前側の半部(48)と後側の半部(49)との間に、上方に開口する凹所(46a)が形成されている。
【００８２】
ケース部(46)は、光ファイバ保持具を構成しており、ケース部(46)の前側の半部(48)には、これを前後に貫通する光ファイバ挿通孔（図７の第１光ファイバ挿通部(31)に相当）(54)が設けられている。
【００８３】
刃保持部(47)は、略方形状とされており、下部には、第１の刃(23)の左右端部がそれぞれ差し込み可能な左右１対の差し込み部(56)が設けられている。刃保持部(47)の上端部には、刃保持部(47)が下方に移動させられた際にケース部(46)の上面に当接する左右に長い略四角柱状のストッパ部(57)が設けられている。ストッパ部(57)の前後面および左右面は、ケース部(46)の前後面および左右面と面一に形成されている。
【００８４】
図１４に示すように、刃保持部(47)の前面（表面）(47a)には、第１の刃(23)を収容する第１凹所(58)と、第２の刃(24)を収容する第２凹所(59)とが設けられている。
【００８５】
第２凹所(59)の上部(59a)は、刃保持部(47)の前面(47a)に対し、第２の刃(24)の厚さに対応する分（第２の刃(24)の厚さ＋０．１ｍｍ程度）凹まされている。第２凹所(59)の下部(59b)は、上部(59a)よりも深く（第２の刃(24)によって切断されたプラスチック光ファイバ(4)の部分が収容できる程度の深さに）凹まされている。第２凹所(59)の下部(59b)下面に連なって、第１凹所(58)の基準面となる第１凹所基準面(58c)が形成されている。第１凹所(58)の上部(58a)は、第１凹所基準面(58c)に対し、第１の刃(23)の厚さに対応する分（第１の刃(23)の厚さ＋０．１ｍｍ程度）凹まされている。第１凹所(58)の下部(58b)は、上部(58a)よりも深く（第１の刃(23)によって切断されたプラスチック光ファイバ(4)の部分が収容できる程度の深さに）凹まされている。
【００８６】
第１凹所(58)の上部(58a)の底面の第２凹所(59)の上部(59a)の底面からの凹み量（刃保持部(47)の前面(47a)と第１凹所基準面(58c)との距離に同じ）は、第１の刃(23)と第２の刃(24)との間隔が０．１〜１ｍｍとなるように、０．６ｍｍとされている。
【００８７】
第１凹所(58)の上面と第２凹所(59)の下面との間に、第１凹所基準面(58c)があることにより、２枚の刃(23)(24)は、第１（下側）の刃(23)の上面と第２（上側）の刃(24)の下面（刃先(24a)の先端）との間に所定の間隔が存するように上下に間隔をおいて配置されている。
【００８８】
図１４においては、刃保持部(47)は、ケース部(46)に対して上方に移動させられた状態となっており、この状態が刃保持部(47)の切断前位置となっている。刃保持部(47)が切断前位置にあるときには、第１の刃(23)の刃先(23a)は、光ファイバ挿通孔(54)よりも上方にあり、刃保持部(47)が下側（切断終了位置）に移動させられることにより、光ファイバ挿通孔(54)内に挿通されたプラスチック光ファイバ(4)が切断される。
【００８９】
図１１に対応する切断後の状態は図示省略するが、刃保持部(47)がケース部(46)に対して下方に移動させられた状態では、第２の刃(24)の刃先(24a)は、光ファイバ挿通孔(54)よりも下方にあり、光ファイバ挿通孔(54)内に挿通されたプラスチック光ファイバが切断される。プラスチック光ファイバ用カッタ(45)が下側の第１の刃(23)と上側の第２の刃(24)とを有していることにより、刃保持部(47)がケース部(46)に対して下方に移動させられる際には、まず、第１の刃(23)による切断が行われ、次いで、第２の刃(24)による切断が行われる。切断前において、光ファイバ挿通孔(54)から突出しているプラスチック光ファイバの部分は、特に規定されることなく、数ｍｍ程度であり、第１の刃(23)によって、光ファイバ挿通孔(54)から突出しているプラスチック光ファイバの部分のほとんどが切り落とされる。第１の刃(23)によって切り落とされたプラスチック光ファイバの部分は、第１凹所(58)の下部(58b)に落ち込むことになる。第１の刃(23)による切断によって、光ファイバ挿通孔(54)から突出しているプラスチック光ファイバの部分は、第１凹所(58)の上部(58a)の底面の第２凹所(59)の上部(59a)の底面からの凹み量に規定された分だけとなり、第２の刃(24)による切断は、この分だけの薄切りとなる。第２の刃(24)によって切り落とされたプラスチック光ファイバの部分は、第２凹所(59)の下部(59b)に落ち込むことになる。
【００９０】
こうして、第６実施形態のプラスチック光ファイバ用カッタ(45)によると、図７に模式的に示した原理に基づいた切断を簡単にかつ精度よく実施することができる。
【００９１】
図８と図１２との比較から分かるように、第６実施形態のプラスチック光ファイバ用カッタ(45)では、第１の刃(23)および第２の刃(24)は、いずれも、斜めに取り付けられている。すなわち、第５実施形態のプラスチック光ファイバ用カッタ(25)では、各刃(23)(24)の刃先(23a)(24a)が左右方向（すなわち各刃(23)(24)の移動方向である上下方向に直交する方向）にのびているのに対し、第６実施形態のものでは、各刃(23)(24)の刃先(23a)(24a)が左右方向に対し６０°程度傾斜させられている。これに対応して、光ファイバ挿通孔(54)も左右方向に対し６０°程度傾斜させられている。
【００９２】
したがって、第６実施形態のものでは、切断時に各刃(23)(24)からプラスチック光ファイバ(4)に作用する力の方向と刃(23)(24)の移動方向とが異なるものとなっている。第５実施形態のものでは、切断時に各刃(23)(24)からプラスチック光ファイバ(4)に作用する力の方向と各刃(23)(24)の移動方向とが一致していることで、プラスチック光ファイバ(4)の１点に切断における力がかかるという点で、切断面に荒れが生じる恐れがある。これに対し、第６実施形態のプラスチック光ファイバ用カッタ(45)では、切断時に各刃(23)(24)からプラスチック光ファイバ(4)に作用する力の方向と各刃(23)(24)の移動方向とが異なることで、各刃(23)(24)からプラスチック光ファイバ(4)に作用する力が分散され、プラスチック光ファイバ(4)に大きな力がかからないようにして切断することができる。このため、切断面の荒れ（コアの亀裂や割れなど）を抑えるという点でより一層有利なものとなっている。
【００９３】
刃(23)(24)の角度（刃(23)(24)の移動方向と刃先とがなす角度）は、力を分散させることができるように２０°〜７０°とすることが好ましい。
【００９４】
第５および第６実施形態において、刃(23)(24)は、両刃であってもよく、図６に示した片刃の刃(30)としてもよい。また、両刃の場合に、光ファイバ挿通孔(34)(54)の軸方向は、図１０、図１４などに示したように、刃(23)(24)の移動方向と直交していてもよく、図５に示したものと同様に、刃(23)(24)の移動方向と直交する方向から刃(23)(24)の傾斜面分だけ傾斜していてもよい。
【００９５】
上記第６実施形態においては、斜めにした刃(23)(24)が２枚使用されているが、図３から図５までに示す第３実施形態を参照して、斜めにした刃を１枚だけ使用するようにしてもよい。すなわち、２枚の刃(23)(24)のうちの下側の刃(23)を取り除いた１枚刃構造として、薄切りを行うようにしてもよい。
【００９６】
このようにすると、切断時に刃からプラスチック光ファイバ(4)に作用する力の方向と刃の移動方向とが異なることで、刃からプラスチック光ファイバ(4)に作用する力が分散され、プラスチック光ファイバ(4)に大きな力がかからないようにして切断することができる。したがって、同じ１枚刃構造であっても、第３実施形態のものに比べると、切断面の荒れ（コアの亀裂や割れなど）を抑えるという点で有利なものとなる。
【００９７】
図１、図２および図７などに示すプラスチック光ファイバ(4)の切断において、刃(3)(23)(24)を一定速度でゆっくり移動させて、切断することが好ましい。
【００９８】
図１５から図２１までに、第７実施形態のプラスチック光ファイバ用カッタを示す。この実施形態のプラスチック光ファイバ用カッタ(65)は、図２に示す切断方法を実施するのに好適なカッタの別の実施形態となっており、刃(3)を一定速度でゆっくり移動させることができるものとなっている。
【００９９】
図１５および図１６は、プラスチック光ファイバ用カッタ(65)全体の斜視図を示し、図１７および図１８は、ケース部(66)の前側の半部(68)を取り除いた部分の斜視図を示し、ケース部(66)の前側の半部(68)に設けられている光ファイバ挿通孔(73)を一点鎖線で示している。図１５および図１７は、切断前の状態、図１６および図１８は、切断後の状態をそれぞれ示している。また、図１９は、ケース部(66)の後側の半部(69)の正面図を示し、図２０は、刃保持部(67)の正面図を示し、図２１は、ケース部(66)の前側の半部(68)の背面図を示している。第７実施形態のプラスチック光ファイバ用カッタ(65)の説明において、上下および左右は、図１５から図１８までの上下および左右をいうものとする。
【０１００】
第７実施形態のプラスチック光ファイバ用カッタ(65)は、上方に開口する凹所(66a)を有する直方体状の合成樹脂製ケース部(66)と、下部がケース部(66)内に嵌め入れられてケース部(66)に対して移動可能な刃保持部(67)と、刃保持部(67)を移動させる送りねじ機構(70)とを備えている。
【０１０１】
刃(3)は、刃保持部(67)と一体でケース部(66)内を左右移動するように刃保持部(67)に取り付けられている。刃(3)は、１枚だけ使用されており、図３から図５までに示す第３実施形態を基準にすると、刃(3)の移動方向と直角の方向に対し刃(3)が斜めに取り付けられている点で相違しており、図１２から図１４までに示す第６実施形態を基準にすると、下側の刃(23)が取り除かれて１枚の刃(3)とされている点で相違している。
【０１０２】
ケース部(66)は、前側の半部(68)と後側の半部(69)とからなる。後側の半部(69)は、左右に長い長方形の右下の角部分が斜めに削除された形状の平板状とされている。前側の半部(68)は、左右に長い長方形の右下の角部分が斜めに削除された形状とされて、その後面の左縁部(68a)、右縁部(68b)、右斜め下縁部(68c)および下縁部(68d)は、後面の他の部分より突出させられている。後側の半部(69)の周縁部に、所定間隔で計４つの凸部(71)が設けられており、前側の半部(68)の周縁部(68a)(68b)(68c)(68d)には、これらの凸部(71)に嵌め合わされる凹部(72)が設けられている。複数の凸部(71)と凹部(72)との嵌め合わせによって、前側の半部(68)と後側の半部(69)とが着脱可能に結合され、後側の半部(69)の周縁部と前側の半部(68)の周縁部(68a)(68b)(68c)(68d)とが突き合わされることにより、前側の半部(68)と後側の半部(69)との間に、前側の半部(68)の周縁部(68a)(68b)(68c)(68d)によって囲まれた上方に開口する凹所(66a)が形成されている。
【０１０３】
ケース部(66)は、光ファイバ保持具を構成しており、ケース部(66)の前側の半部(68)には、これを前後に貫通する複数の光ファイバ挿通孔（図２の光ファイバ挿通部(14)に相当）(73)が設けられている。複数の光ファイバ挿通孔(73)は、水平方向に対して３０°程度傾斜した方向に所定間隔で配置されている。
【０１０４】
断面図による図示は省略するが、光ファイバ挿通孔(73)は、図５に示されているのと同様に、前後方向に対して５°傾斜する（前側が下がる）ようになされている。
【０１０５】
刃保持部(67)は、左右に長い長方形の右下の角部分が斜めに削除された形状の板状部(75)と、板状部(75)の上面に一体に設けられて左右にのびる断面方形の柱状部(76)とからなる。
【０１０６】
板状部(75)は、ケース部(66)の凹所(66a)内に嵌め入れられており、柱状部(76)は、ケース部(66)から露出させられている。刃(3)は、水平方向に対して３０°程度傾斜して、板状部(75)に設けられた凹所(77)に嵌め入れられている。図２０に示すように、凹所(77)には、刃(3)が取り付けられる部分(77a)の下側に、刃(3)が取り付けられる部分(77a)よりも０．２ｍｍ程度深い部分(77b)が形成されている。刃(3)が取り付けられる部分(77a)よりも０．２ｍｍ程度深い部分(77b)は、刃(3)によって切り落とされたプラスチック光ファイバの部分が落ち込むポケットとなっている。
【０１０７】
ケース部(66)の凹所(66a)は、刃保持部(67)が左右方向に移動可能なように、左右寸法が、刃保持部(67)の左右寸法よりも大きくなされている。
【０１０８】
ケース部(66)には、さらに、プラスチック光ファイバ(4)を適当な長さに切断する際に使用される光ファイバ挿通溝(74)が設けられている。この光ファイバ挿通溝(74)は、一端が下面に開口し、他端が図１８に示す刃先(3a)位置を越えるようにのびる円弧状で、かつ、前側の半部(68)および後側の半部(69)の両方を貫通するように形成されている。この光ファイバ挿通溝(74)を使用することによって、プラスチック光ファイバ(4)の中間部（先端部でなく）での切断を容易に行うことができる。
【０１０９】
送りねじ機構(70)は、刃保持部(67)の柱状部(76)に設けられためねじ部(81)と、めねじ部(81)にねじ合わされたおねじ部材(82)と、おねじ部材(82)を支持するおねじ部材支持板（おねじ部材支持部）(83)と、おねじ部材(82)を回転させるハンドル(84)とを備えている。
【０１１０】
めねじ部(81)は、柱状部(76)にインサートナットを熱圧入することによって設けられており、柱状部(76)の右端面から左方にのびるように形成されている。
【０１１１】
おねじ部材(82)は、市販の六角ボルトであり、おねじが形成された軸部(82a)と、軸部(82a)の上端部に一体に設けられた六角柱状の頭部(82b)とからなる。
【０１１２】
おねじ部材支持板(83)は、上下に長い方形の板状とされている。おねじ部材支持板(83)の上端部には、おねじ部材(82)の軸部を挿通させるためのおねじ部材挿通孔が設けられている。おねじ部材支持板(83)は、その下半部を貫通する２本のボルト(85)がケース部(66)の右縁部(68b)に設けられたインサートナット(90)にねじ合わされることによって、ケース部(66)に固定（一体化）されている。
【０１１３】
おねじ部材(82)は、その頭部(82b)の左面がおねじ部材支持板(83)の右面に当接することで、左方への移動が阻止された状態で、その軸部(82a)が回転可能におねじ部材支持板(83)のおねじ部材挿通孔に挿通されている。
【０１１４】
ハンドル(84)は、おねじ部材支持板(83)よりもさらに上下に長い方形の板状で、おねじ部材支持板(83)と平行に配置されている。ハンドル(84)の上端部に六角柱状の貫通孔が設けられており、この六角柱状の貫通孔がおねじ部材(82)の頭部(82b)に嵌め合わせられている状態で、ハンドル(84)の下端部を手で保持してハンドル(84)を回転させることにより、おねじ部材(82)を回転させることができる。
【０１１５】
刃保持部(67)の前面には、左右および上下にそれぞれ所定の間隔をおいて１対の円柱状の案内突起(86)(87)が設けられており、前側の半部(68)の後面には、各案内突起(86)(87)に対応して、左右にのびる案内溝(88)(89)が設けられている。各案内突起(86)(87)の径と各案内溝(88)(89)の上下幅とは略等しくなされている。各案内突起(86)(87)は、各案内溝(88)(89)に嵌め入れられることで、左右方向の移動可能範囲が規制された状態で左右方向に移動可能とされるとともに、上下方向には移動ができないようになされている。これにより、刃保持部(67)は、各案内突起(86)(87)と各案内溝(88)(89)との嵌め合いに案内されて、図１５および図１７に示す左端位置（切断前の状態）と図１６および図１８に示す右端位置（切断後の状態）との間を往復移動可能とされている。
【０１１６】
おねじ部材(82)を刃保持部(67)のめねじ部(81)に対して締め付ける方向に回転させた場合、おねじ部材(82)の直線移動がおねじ部材支持板(83)で阻止されていることによって、おねじ部材(82)は、直線移動せずに回転し、これにより、刃保持部(67)は、おねじ部材(82)に引き寄せられる方向に直線移動する。
【０１１７】
図１５において、刃保持部(67)は、切断前位置にあり、ハンドル(84)を回転させるのに伴って、右方に、すなわち、おねじ部材(82)の軸線に沿っておねじ部材支持板(83)に近づくように直線移動する。直線移動は、図１６に示す状態で停止させられる。図１５に対応する図１７に示すように、刃保持部(67)が切断前位置にある状態では、一点鎖線で示す光ファイバ挿通孔(73)の位置は、刃(3)の刃先(3a)の位置よりも右方にあり、この状態から刃保持部(67)がケース部(66)に対して右方に移動することで、刃(3)は、図１６に対応する図１８に示すように、一点鎖線で示す光ファイバ挿通孔(73)の位置を刃先(3a)が越えた位置に到達する。これにより、光ファイバ挿通孔(73)に挿通されたプラスチック光ファイバ(4)の先端部が薄切りされる。
【０１１８】
上記の切断において、ハンドル(84)を１回転させると、おねじ部材(82)は、１回転して、めねじ部(81)に対して１ピッチ移動し、これに伴って、刃保持部(67)に保持された刃(3)は、おねじ部材(82)の１ピッチ分移動する。１ピッチを例えば０．２ｍｍとすると、おねじ部材(82)を２秒で１回転させることで、刃保持部(67)の移動速度は、０．１ｍｍ／ｓｅｃとなる。すなわち、この速度で、プラスチック光ファイバ(4)を切断すれば、０．１ｍｍ／ｓｅｃの切断速度が得られる。
【０１１９】
ここで、切断速度に関し、その好ましい範囲は、０．０４〜０．２ｍｍ／ｓｅｃ（φ２．２ｍｍのプラスチック光ファイバの切断に要する時間が１０〜６０ｓｅｃ）であり、さらに好ましい範囲は、０．０５〜０．１ｍｍ／ｓｅｃ（φ２．２ｍｍのプラスチック光ファイバの切断に要する時間が２０〜４０ｓｅｃ）である。人の手で刃(3)を動かした場合には、切断速度が速くなりすぎる傾向があるが、送りねじ機構(70)を使用することで、熟練度を必要とせずに、好ましい切断速度での切断が可能となる。
【０１２０】
上記の送りねじ機構(70)は、第３，第５および第６実施形態に示したプラスチック光ファイバ用カッタ(5)(25)(45)にも適用することができる。
【０１２１】
上記の各実施形態では、プラスチック光ファイバ(4)は、図２８に示すような被覆された状態で切断されるが、プラスチック光ファイバ(4)は、図２８のプラスチック光ファイバ(F)から被覆層(F3)(F4)が剥がされた素線の状態で切断されることもある。素線を切断する場合には、各プラスチック光ファイバ用カッタ(5)(25)(45)(65)において、光ファイバ挿通孔(34)(54)(73)の孔径を小さくすることで、同様のプラスチック光ファイバ用カッタを使用することができる。
【０１２２】
図２２には、第７実施形態のプラスチック光ファイバ用カッタ(65)をプラスチック光ファイバ(4)の素線の切断用として使用する際のケース部(66)の前側の半部(68)を示している。
【０１２３】
図２２に示す前側の半部(68)においては、光ファイバ挿通孔(91)の孔径が、図２１に示した前側の半部(68)における光ファイバ挿通孔(73)の孔径よりも小さくなされて、プラスチック光ファイバ(4)の素線を嵌め入れるのに適したものとされている。光ファイバ挿通孔(91)の孔径以外の形状は、図２１に示した前側の半部(68)と同じとされており、同じ構成に対して同じ符号を付すことでその説明を省略する。
【０１２４】
図２２に示す前側の半部(68)によると、後側の半部(69)および刃保持部(67)については、第７実施形態のものを流用し、前側の半部(68)だけを図２２に示すものとすることによって、被覆ありのプラスチック光ファイバ(4)用のカッタ(65)をプラスチック光ファイバ(4)の素線用のカッタに変更することができる。
【０１２５】
図２３および図２４に、第８実施形態のプラスチック光ファイバ用カッタを示す。この実施形態のプラスチック光ファイバ用カッタ(95)は、図１５から図２１までに示した第７実施形態のプラスチック光ファイバ用カッタ(65)を基準にして、送りねじ機構(96)に付勢部材(97)が付加されたものとなっている。
【０１２６】
以下の説明において、第７実施形態のプラスチック光ファイバ用カッタ(65)と同一の構成には、同じ符号を付して、その説明は省略し、相違点のみを説明する。
【０１２７】
この実施形態のプラスチック光ファイバ用カッタ(95)では、送りねじ機構(96)は、刃保持部(67)の柱状部(76)に設けられためねじ部(81)と、めねじ部(81)にねじ合わされたおねじ部材(82)と、おねじ部材(82)を支持するおねじ部材支持板(83)と、おねじ部材(82)を回転させるハンドル(84)と、おねじ部材(82)の軸部(82a)に嵌められた円筒状の圧縮コイルばね（付勢部材）(97)とを備えている。
【０１２８】
柱状部(76)の上面およびおねじ部材支持板(83)の下面には、圧縮コイルばね(97)の上下端部が嵌め入れられる座ぐりが設けられており、圧縮コイルばね(97)は、柱状部(76)の上面とおねじ部材支持板(83)の下面との間に挟持されている。
【０１２９】
図２３において、刃保持部(67)は、切断前位置にあり、ハンドル(84)を回転させることで、右方に、すなわち、おねじ部材(82)の軸線に沿っておねじ部材支持板(83)に近づくように直線移動する。これに伴って、圧縮コイルばね(97)は、図２４に示すように、圧縮変形させられ、この変形によって生じる付勢力がめねじ部(81)とおねじ部材(82)とのねじ合わせ部分に作用することで、ねじ合わせのがたつきが防止される。
【０１３０】
圧縮変形によって生じる付勢力は、ハンドル(84)を回転させることに対して抵抗する力となるので、ハンドル(84)の回転を妨げるほどの大きい力とはならないように、圧縮コイルばね(97)の弾性率が調整される。これにより、第７実施形態のプラスチック光ファイバ用カッタ(65)と同様にして切断することができ、光ファイバ挿通孔(73)に挿通されたプラスチック光ファイバ(4)の先端部が薄切りされる。こうして、人の手で刃(3)を動かした場合には、切断速度が速くなりすぎる傾向があるが、送りねじ機構(96)を使用することで、熟練度を必要とせずに、好ましい切断速度での切断が可能となる。
【０１３１】
切断後は、ハンドル(84)を逆に回転させることで、刃保持部(67)が切断前位置に復帰させられる。この際、圧縮コイルばね(97)に生じている付勢力は、刃保持部(67)を復帰位置に付勢する方向に作用し、刃保持部(67)は適正な切断前位置に確実に復帰させられる。
【０１３２】
上記第７および第８の実施形態において、おねじ部材支持板(83)は、ボルト(85)を使用して、ケース部(66)の前側の半部(68)に固定されているが、おねじ部材支持板(83)をケース部(66)の前側の半部(68)に一体に設けるようにしてもよい。一体に設けることで、インサートナット(90)およびボルト(85)を使用した固定が不要となり、プラスチック光ファイバ用カッタ(65)(95)の構成を簡素化することができる。
【０１３３】
図２５から図２７までに、第９実施形態のプラスチック光ファイバ用カッタを示す。この実施形態のプラスチック光ファイバ用カッタ(101)は、図２３および図２４に示した第８実施形態のプラスチック光ファイバ用カッタ(95)を基準にして、送りねじ機構(96)が省略されたものとなっている。
【０１３４】
以下の説明において、第８実施形態のプラスチック光ファイバ用カッタ(95)と同一の構成には、同じ符号を付して、その説明は省略する。
【０１３５】
この実施形態のプラスチック光ファイバ用カッタ(101)では、円筒状の圧縮コイルばね（付勢部材）(102)は、送りねじ機構(96)の構成要素として使用されているのではなく、圧縮コイルばね(102)単体で、送りねじ機構(96)と同等の効果を得ることができる機構として使用されている。
【０１３６】
ケース部(66)の前側の半部(68)には、おねじ部材支持板(83)に相当する部分が一体に設けられており、これにより、刃保持部(67)の柱状部(76)に所定の間隙（ばね配置空間）をおいて対向するばね受け部(103)が形成されている。
【０１３７】
柱状部(76)の上面およびばね受け部(103)の下面には、圧縮コイルばね(102)の上下端部が嵌め入れられる座ぐりが設けられており、圧縮コイルばね(102)は、柱状部(76)の上面とばね受け部(103)の下面との間に挟持されている。
【０１３８】
図２５において、刃保持部(67)は、切断前位置にあり、これを手で右方に移動させることで、光ファイバ挿通孔(73)に挿通されたプラスチック光ファイバ(4)の先端部が薄切りされる。刃保持部(67)の右方への移動に伴って、圧縮コイルばね(102)は、図２６に示すように、圧縮変形させられる。この変形によって生じる付勢力は、刃保持部(67)を切断方向に移動させることに対して抵抗する力となる。これにより、人の手で刃(3)を動かした場合には、切断速度が速くなりすぎる傾向があるが、熟練度を必要とせずに、好ましい切断速度での切断が可能となる。しかも、手で刃保持部(67)を押す力が圧縮コイルばね(102)の付勢力によって弱められることで、切断時にプラスチック光ファイバ(4)に作用する力が小さくなり、圧縮コイルばね(102)の追加だけで、送りねじ機構(70)を備えているものと同程度の極めて平滑な切断断面が得られる。
【０１３９】
切断後は、圧縮コイルばね(102)の付勢力によって、刃保持部(67)が切断前位置に復帰させられ、これにより、刃保持部(67)は適正な切断前位置に確実に復帰させられる。
【０１４０】
上記各実施形態において、刃(3)(23)(24)(30)の厚みは、特に限定されるものではなく、０．１ｍｍ〜０．３ｍｍ程度のものを適宜使用することができる。刃保持部(7)(27)(47)(67)の形状は、使用される刃(3)(23)(24)(30)に合わせて適宜変更される。
【０１４１】
また、プラスチック光ファイバ(4)の外周面と第１光ファイバ挿通部(11)または光ファイバ挿通孔(34)(54)(73)の内周面とのクリアランスは、適当な大きさに設定することができる。より好ましくは、第１光ファイバ挿通部(11)または光ファイバ挿通孔(34)(54)(73)の内径がプラスチック光ファイバ(4)の外径に等しくなされて、プラスチック光ファイバ(4)の外周面と第１光ファイバ挿通部(11)または光ファイバ挿通孔(34)(54)(73)の内周面とのクリアランスがゼロとされる。第２光ファイバ挿通部(12)の内径は、第１光ファイバ挿通部(11)の内径に等しくてもよいし、第１光ファイバ挿通部(11)の内径より大きくてもよい。
【０１４２】
また、光ファイバ挿通孔(34)(54)(73)(91)は、プラスチック光ファイバ(4)を１本ごとに切断するのに適した形状（断面が円形）とされているが、光ファイバ挿通孔は、２心のプラスチック光ファイバを切断するのに適した形状（断面円形の２つの孔同士を接触させて１つの孔とした形状）とされてもよい。
【０１４３】
上記において、刃(3)(23)(24)(30)をプラスチック光ファイバ(4)の長さ方向に対して直交する方向（刃の傾斜面に相当する分だけ傾斜する方向でも可）に移動させるには、刃(3)(23)(24)(30)を保持する保持具が軸部に回転可能に取り付けられた回転タイプとしてもよく、各実施形態に示したもの（スライドタイプの１例）に限定されるものではなく、適宜な方式が使用される。
【符号の説明】
【０１４４】
(1)         プラスチック光ファイバ用カッタ
(2)         光ファイバ保持具
(3)         両刃（刃）
(3a)(3b)    傾斜面
(4)         プラスチック光ファイバ
(5)         プラスチック光ファイバ用カッタ
(6)         ケース部（光ファイバ保持具）
(7)         刃保持部
(8)         光ファイバ挿通孔（光ファイバ挿通部）
(9)         位置決め部
(11)        第１光ファイバ挿通部（光ファイバ挿通部）
(13)        隙間
(14)(15)    光ファイバ挿通部
(21)        プラスチック光ファイバ用カッタ
(22)        光ファイバ保持具
(23)        第１の刃
(24)        第２の刃
(25)        プラスチック光ファイバ用カッタ
(26)        ケース部（光ファイバ保持具）
(26a)       凹所
(27)        刃保持部
(27a)       前面（表面）
(30)        片刃（刃）
(30a)       傾斜面
(31)        第１光ファイバ挿通部（光ファイバ挿通部）
(33)        隙間
(34)        光ファイバ挿通孔（光ファイバ挿通部）
(38)        第１凹所
(38a)       上部
(38b)       下部
(38c)       第１凹所基準面
(39)        第２凹所
(39a)       上部
(39b)       下部
(45)        プラスチック光ファイバ用カッタ
(46)        ケース部（光ファイバ保持具）
(46a)       凹所
(47)        刃保持部
(47a)       前面（表面）
(54)        光ファイバ挿通孔（光ファイバ挿通部）
(58)        第１凹所
(58a)       上部
(58b)       下部
(58c)       第１凹所基準面
(59)        第２凹所
(59a)       上部
(59b)       下部
(65)        プラスチック光ファイバ用カッタ
(66)        ケース部（光ファイバ保持具）
(67)        刃保持部
(70)        送りねじ機構
(73)        光ファイバ挿通孔（光ファイバ挿通部）
(95)        プラスチック光ファイバ用カッタ
(96)        送りねじ機構
(97)        圧縮コイルばね（付勢部材）
(101)       プラスチック光ファイバ用カッタ
(102)       圧縮コイルばね（付勢部材）
【図１】
2014139649.tif 000003
【図２】
2014139649.tif 000004
【図３】
2014139649.tif 000005
【図４】
2014139649.tif 000006
【図５】
2014139649.tif 000007
【図６】
2014139649.tif 000008
【図７】
2014139649.tif 000009
【図８】
2014139649.tif 000010
【図９】
2014139649.tif 000011
【図１０】
2014139649.tif 000012
【図１１】
2014139649.tif 000013
【図１２】
2014139649.tif 000014
【図１３】
2014139649.tif 000015
【図１４】
2014139649.tif 000016
【図１５】
2014139649.tif 000017
【図１６】
2014139649.tif 000018
【図１７】
2014139649.tif 000019
【図１８】
2014139649.tif 000020
【図１９】
2014139649.tif 000021
【図２０】
2014139649.tif 000022
【図２１】
2014139649.tif 000023
【図２２】
2014139649.tif 000024
【図２３】
2014139649.tif 000025
【図２４】
2014139649.tif 000026
【図２５】
2014139649.tif 000027
【図２６】
2014139649.tif 000028
【図２７】
2014139649.tif 000029
【図２８】
2014139649.tif 000030
【図２９】
2014139649.tif 000031
【図３０】
2014139649.tif 000032